(57)【特許請求の範囲】
【請求項１】
前方を開口して収納空間を形成する家具本体に、この家具本体を補強する補強材を取り付ける補強材の取付構造において、
前記家具本体の周縁部に切欠部を設けると共に、この切欠部に係合する位置決め部を備える別体の位置決め材を補強材の端部に設けて家具本体に対する補強材の位置決めを行うことを特徴とする補強材の取付構造。
【請求項２】
家具本体の左右両側壁に補強材を設けるとともに、前記位置決め材に家具本体の左右両側壁を連結する横架材を取り付ける横架材取付部を有することを特徴とする請求項１記載の補強材の取付構造。
【請求項３】
前記家具本体が、板金を用いた曲げ加工により成形されることを特徴とする請求項１又は２記載の補強材の取付構造。
【請求項４】
前記補強材の端部を家具本体の端部と略同様の形状としていることを特徴とする請求項１乃至３いずれかに記載の補強材の取付構造。
【請求項５】
板金性の家具本体の周囲に設けた起立部に切欠部を設けると共に、補強材の下端部に、この切欠部に係合する段差部を有する前記位置決め部を備える前記別体の位置決め材を設けて位置決めを行うことを特徴とする請求項１乃至４いずれかに記載の補強材の取付構造。
【請求項６】
前記補強材が井桁形状を成すことを特徴とする請求項１乃至５いずれかに記載の補強材の取付構造。
【発明の詳細な説明】
【０００１】
【発明の属する技術分野】
本発明は、補強材を設けた家具に関するものである。
【０００２】
【従来の技術】
従来、例えば書類入れなどに利用される引出付きのワゴンなどは、平面視コの字状に一枚の板金を折り曲げて左右側壁及び背面壁を形成する主板金材に、天壁及び底壁を取り付けて前方を開口させたワゴン本体を構成し収納空間を形成している。そして、このワゴン本体の側壁内側に、引出を出し入れするためのレールや補強材からなる井桁を取り付けて強度を増した構成とすることが多い。
【０００３】
この井桁は、前後２本の縦桟となる補強材の上下端付近に、２本の横桟となるレール部材を取り付けたものであり、左右側壁及び背面壁を形成する主板金材を折り曲げ加工する前、つまりワゴン本体がシート状の段階で取り付けられる。従って、この井桁をワゴン本体に取り付ける際に、いかに井桁を適切に位置決めするかがポイントとなる。そこで、まず、ワゴン本体の左右側壁の前端及び下端を内方に向けて曲げ加工を施し、ワゴン本体前方の開口部に前框を形成すると共に、側壁下端に底壁を取り付ける上フランジを形成する。そして、この前框及び上フランジを利用して井桁を位置決めした後溶接する。具体的には、井桁の前端を前框に、井桁の下端を上フランジに突き合わせて位置決めする。
【０００４】
【発明が解決しようとする課題】
しかし、例えば、ワゴン本体の前端を湾曲形状とするなど、外郭線が非直線形状となるようなデザイン施したい場合がある。その時には曲げ加工を施すことができずに前端を切り離し端として構成するため、井桁を位置決めするための前框を設けることができない。
【０００５】
そこで、本願発明は、ワゴン本体に対して容易且つワゴンの形態自由度を高めた井桁の位置決めを行うことを目的としている。
【０００６】
【課題を解決するための手段】
上述の問題を解決すべく、本発明は、前方を開口して収納空間を形成する家具本体に、この家具本体を補強する補強材を取り付ける補強材の取付構造において、前記家具本体の周縁部に切欠部を設けると共に、この切欠部に係合する位置決め部を備える別体の位置決め材を補強材の端部に設けて家具本体に対する補強材の位置決めを行うことを特徴とする。
【０００７】
これにより、框部分を設けることなくワゴン本体に対して補強材を位置決めすることが可能となり、ワゴン本体のデザインを制限されることなく自由度の高い設計を行うことができる。また、前記切欠部に係合する位置決め部を備える別体の位置決め材を補強材の端部に設けているので、簡単に且つ自由度の高い取付部を構成することができる。
【０００８】
このような補強材の取付構造の好適な態様の一つとして、家具本体の左右両側壁に補強材を設けるとともに、前記位置決め材に家具本体の左右両側壁を連結する横架材を取り付ける横架材取付部を有するものが挙げられる。また、前記家具本体が、板金を用いた曲げ加工により成形される場合には、家具本体を展開した状態で容易に補強材を位置決めすることができる。
【０００９】
加えて、前記補強材の一端部を家具本体の一端部と略同様の形状を成することで、曲げ加工に代えてワゴン本体端部の剛性を強化し補強する役目を担わせることもできる。
【００１０】
具体的な実施形態としては、板金性の家具本体の周囲に設けた起立部に切欠部を設けると共に、補強材の下端部にこの切欠部に係合する段差部を有する前記位置決め部を備える前記別体の位置決め材を設けて位置決めをすることが望ましい。
【００１１】
更に、補強材を井桁形状としてより剛性を高めることも考えられる。
【００１２】
【発明の実施の形態】
以下、本発明の一実施形態を、図面を参照して説明する。図１、図２に示すように、ワゴンＷは、収納空間を構成する筐体たるワゴン本体１と、このワゴン本体１内に配置した上段、中段及び下段の３段からなる引出２と、ワゴン本体１を補強する補強材３１、３２を具備する井桁３とから構成される。
【００１３】
ワゴン本体１は、引出２を出し入れするために前面を開口させた概略直方体形状をなすもので、その側壁１ａ、１ｂの前端部１Ａを、側面視前方に膨出する部分円弧状をなすように設定している。このワゴン本体１は、図３、図４に示すように、シート状の横長板金を２カ所にて折り曲げて、左右側壁１ａ、１ｂ及び天壁１ｃからなる主板金材を一体的に構成するもので、その後図示しない背面壁、底壁を取り付けて前面を開口させた構造体を形成している。
【００１４】
各引出２は、高さ寸法こそ異なるが、基本的には同一構成のものであり、物品を収納する収納空間を有した図示しない収納体と、この収納体の前面に取り付けた鏡板２１とを具備する。鏡板２１は、その前面が側面視前方に膨出する部分円弧状をなし、後面が鉛直面である不等厚のもので、前記後面を収納体の側壁及び底壁の前端に押し当てて収納空間の前方への開口を閉塞するように収納体に固定してある。
【００１５】
この引出２を出し入れするレール部材３３、３４を取り付けた井桁３は、図２に示すように、ワゴン本体１の側壁１ａ、１ｂの内側面に取り付けられるものであり、前後補強材３１、３２を縦桟とし、この前後補強材３１、３２の内側面に上下レール部材３３、３４を渡して構成したものである。尚、必要に応じて他のレール部材３５、３６も取り付けられる。
【００１６】
前補強材３１は、一枚の板金を折り曲げ加工して構成したもので、図３に示すように、外側つまりワゴン本体１側及び上下端を開放する開口部を有するものである。そして、前端及び後端近辺をワゴン本体１と平行に屈曲させて取付面を形成し、溶接等の適当手段によりワゴン本体１の側壁１ａ、１ｂに取り付けられる。この前補強材３１の前端部３１ａは、前記ワゴン本体１の前端部１Ａと略同様の形状を成し、側面視前方に膨出する部分円弧状をなしている。
【００１７】
しかして、本実施形態では、図３乃至５に示すように、この井桁３をワゴン本体１に対して適切に位置決めするために、ワゴン本体１の周縁部である下端部３１ｂに位置決め用の切欠部１２を設けると共に、この切欠部１２と係合する段差部４３１を有する位置決め材４を前補強材３１の下端部３１ｂに取り付けてワゴン本体１に対する井桁３の位置決めを行っている。
【００１８】
詳述すると、ワゴン本体１には、図４に示すように、左右側壁１ａ、１ｂから連続して垂直方向に起立する起立部１１ａを設け、この起立部１１ａの前方端近傍、つまり、井桁３の前補強材３１を取り付ける位置に切欠部１２を設けている。
【００１９】
尚、左右側壁１ａ、１ｂと天壁１ｃの後端部には、背面壁を取り付ける取付部１１ｂを起立させて形成している。
【００２０】
この切欠部１２は、図６に示すように、ワゴン本体１の内側方向に開放した平面視コの字形状を成している。その奥行き寸法Ｗ１は、位置決め材４の位置決め部４３の幅寸法Ｗ３と略同様として前後方向の位置決めを可能とすると共に、その幅寸法Ｗ２を起立部１１ａの幅寸法の略半分程度となるように水平面である起立部１１ａの一部を切り欠いている。
【００２１】
位置決め材４は、図７に示すように、井桁３を位置決めする役割を担うもので、前補強材３１と別体に設けられるものである。そして、側面視Ｌ字形状を成し、前補強材３１の内方に挿入される取付部４１と、ワゴン本体１の右側壁１ａと左側壁１ｂとを連結する横架材５を取り付ける横架材取付部４２と、前記切欠部１２に係合する位置決め部４３とから構成される。
【００２２】
取付部４１は、図７に示すように、前補強材３１の前後壁３１１、３１２及び側壁３１３にて形成される開口部の内方に挿入され、前補強材３１の下端部に位置決め材４を取り付けるものである。この取付部４１は、前補強材３１の開口部の幅寸法に合わせた前壁４１ａ及び後壁４１ｂ及び開口部の奥行き寸法に合わせた側面視Ｌ字形状の側壁４１ｃとからなり、前補強材３１の前後壁３１１、３１２及び側壁３１３の内面に当接した状態に取り付けられるように構成されている。
【００２３】
横架材取付部４２は、鉛直面及び垂直面からなる側面視逆Ｌ字形状を成し、横架材５を外装できる形状を成している。
【００２４】
位置決め部４３は、ワゴン本体１の切欠部１２に係合する段差部４３１を有するもので、前後壁４１ａ、４１ｂにて前後方向の位置決めを行うものである。
【００２５】
具体的には、図１０に示すように、位置決め材４の前後壁４１ａ、４１ｂは、ワゴン本体１の切欠部１２の奥行き寸法Ｗ１と略同寸法となる幅寸法Ｗ３を離間させて、井桁３の前後方向の位置決めを可能としている。
【００２６】
段差部４３１は、図８に示すように、鉛直面を形成する前後壁４１ａ、４１ｂの外方端部つまり、ワゴン本体１の起立部１１ａ側を下方及び後方を開口した状態に切り欠いたものである。この段差部４３１の高さ寸法Ｗ４は、ワゴン本体１の板金材の厚み寸法よりも長い寸法を有している。
【００２７】
尚、この位置決め材４は、前補強材３１に取り付けた状態で、段差部４３１の下端と補強材の下端との差がワゴン本体１の起立部１１ａの厚み寸法と同様になる位置に取り付けられるものである。つまり、図９に示すように、前補強材３１の下端が起立部１１ａの上面に当接した状態で、位置決め材４の下端が起立部１１ａの下面と面一となるように固定される。
【００２８】
ここで、ワゴン本体１に対して井桁３を位置決めして取り付ける工程について説明する。
【００２９】
まず、図５に示すように展開したシート状のワゴン本体１に対して、図４に示すように、左右側壁１ａ、１ｂの内面側に井桁３を配置する。その際、ワゴン本体１に設けた切欠部１２の奥行き方向に位置決め材４の前後壁４１ａ、４１ｂが係合し、前後方向の位置決めが成される。また、ワゴン本体１の左右側壁１ａ、１ｂの内面に前後補強材３１、３２の外面つまり取付面とを当接させることで、左右方向の位置決めが成される。更に上下方向の位置決めは、起立部１１ａの上面に前補強材３１の前後壁３１１、３１２の下端が当接する事で実現する。そしてこのように位置決めした後、適当箇所を溶接して左右側壁１ａ、１ｂに井桁３を取り付けた後、ワゴン本体１の左右側壁１ａ、１ｂ及び天壁１ｃを折り曲げる。そして、底壁及び背面壁を取り付ける。
【００３０】
以上のような構成により、ワゴン本体１に框部分のような屈曲部を設けることなく補強材３１、３２を有する井桁３を位置決めすることが可能となり、ワゴン本体１のデザインを制限されることなく自由度の高い設計を行うことができる。
【００３１】
また、前記ワゴン本体１が、板金を用いた曲げ加工により成形されることにより、ワゴン本体１を展開した状態で容易に井桁３を位置決めすることができる。
【００３２】
更に、井桁３の端部に別体の位置決め材４を設けて、簡単に且つ自由度の高い取付部を構成することができ、横架材５のような他部材の横架材取付部４２を兼用するような構成とすることが容易となる。
加えて、前記井桁３の前端部３１をワゴン本体１の前端部１Ａと略同様の形状を成することで、ワゴン本体１の前端部１Ａの剛性を強化し補強する役目を担わせることもできる。
【００３３】
なお、本発明における構成は、以上説明したものに限定されないのは勿論である。例えば、本実施の形態においては、位置決め材４を別体に構成しているが、井桁３の下端に一体的に形成しても良い。また、本実施の形態において、補強材３１、３２は、補強材の役割を兼ねるレール部材３３、３４と組合わせることで井桁形状を成しているが、この他、Ｈ字形状など様々な形状が考えられる。その他の構成も本発明の趣旨を逸脱しない範囲で種々変形が可能である。
【００３４】
【発明の効果】
すなわち、本発明は、前方を開口して収納空間を形成する家具本体に、補強材を取り付ける補強材の取付構造において、前記家具本体の周縁部に切欠部を設けると共に、この切欠部に係合する位置決め部を補強材に設けて家具本体に対する補強材の位置決めして取り付ける。
【００３５】
これにより、家具本体に框部分のような屈曲部を設けることなく補強材を位置決めすることが可能となり、家具本体のデザインを制限されることなく自由度の高い設計を行うことができる。更に、補強材の端部に前記切欠部に係合する位置決め部を備える別体の位置決め材を設けているので、簡単に且つ自由度の高い取付部を構成することができ、横架材のような他部材の取付部を兼用するような構成とすることが容易となる。
【００３６】
また、前記家具本体が、板金を用いた曲げ加工により成形されることにより、家具本体を展開した状態で容易に補強材を位置決めすることができる。
【００３８】
加えて、前記補強材の端部を家具本体の端部と略同様の形状を成することで、家具本体の端部の剛性を強化し補強する役目を担わせることもできる。
また、前記補強材を井桁形状とすることでより剛性を増すこともできる。
【図面の簡単な説明】
【図１】本発明の一実施形態を示す斜視図。
【図２】同実施形態に係るワゴン本体及び井桁を示す要部斜視図。
【図３】同実施形態に係る井桁の斜視図。
【図４】同実施形態に係るワゴン本体及び井桁の平面図。
【図５】同実施形態に係るワゴン本体の展開斜視図。
【図６】同実施形態に係る井桁をワゴン本体に取り付ける工程を示す底面図。
【図７】同実施形態に係る位置決め材の斜視図。
【図８】同実施形態に係る井桁をワゴン本体に取り付ける工程を示す正面図。
【図９】同実施形態に係るＡ−Ａ線拡大断面図。
【図１０】同実施形態に係るＢ−Ｂ線拡大断面図。
【符号の説明】
１・・・家具本体（ワゴン本体）
１Ａ・・・端部（前端部）
３・・・井桁
４・・・位置決め材
１２・・・切欠部
３１・・・補強材（前補強材）
３１ａ・・・端部（前端部）
３２・・・補強材（後補強材）
４３・・・位置決め部
４３１・・・段差部
【図１】
0004244115.tif 000002
【図２】
0004244115.tif 000003
【図３】
0004244115.tif 000004
【図４】
0004244115.tif 000005
【図５】
0004244115.tif 000006
【図６】
0004244115.tif 000007
【図７】
0004244115.tif 000008
【図８】
0004244115.tif 000009
【図９】
0004244115.tif 000010
【図１０】
0004244115.tif 000011